(57)【特許請求の範囲】
【請求項１】
美容を行うための電流を出力する電極部を表面に設け、前記電極部側から伸延する把持部を一体形成した本体ケーシングを備えた美容機器において、前記電極部は、上面と立ち上がり部を有す略錐台形状であり、上面は少なくとも把持部側に膨らんだ曲線部と把持部の長手方向に沿った直線部を有しており、曲線部と立ち上がり部は第１円弧面で結ばれ、直線部と立ち上がり部は第２円弧面で結ばれており、上記第１円弧面は第２円弧面より曲率が小さいことを特徴とする美容機器。
【発明の詳細な説明】
【技術分野】
【０００１】
本発明は、美容機器に関する。
【背景技術】
【０００２】
従来、美容のために供する機器の一つとして、顔面や首筋、手指などの皮膚（以下、施療部位ともいう。）に通電して、イオン化された美容成分を施療部位に導入したり、施療部位の老廃物を除去する美容機器が知られている。
【０００３】
このような美容機器は、施療部位に当接させた状態で電流を出力する電極部と、前記電極部と逆の極性を有し、施療部位から離隔した皮膚に当接させる対電極部とを備えている。
【０００４】
そして、前記電極部の表面には、水や美容液等を含浸させた液剤含浸材を配設し、この液剤含浸材と人体（皮膚）とを介して電極部と対電極部との間で通電することにより、施療部位の老廃物を液剤含浸材に捕捉させたり、液剤含浸材中の美容成分を施療部位に導入するようにしている。
【０００５】
特に近年では、場所を問わずいつでも手軽に老廃物の除去やイオンの導入を行うことができるよう、美容機器を小型軽量化し、携帯容易にしたものが提供されている。（例えば、特許文献１参照。）。また、本体装置が別途備え付けられたような大掛かりなものであっても、コードを介して把持部を有す本体ケーシングを繋いだものも存在する。
【０００６】
このような小型軽量化された美容機器によれば、使用者は、所望の際に手軽に施療を行うことができるとしている。
【先行技術文献】
【特許文献】
【０００７】
【特許文献１】特開２００３−１０３４３号公報
【発明の概要】
【発明が解決しようとする課題】
【０００８】
しかしながら、上記従来の美容機器によれば、小型軽量化されたことで取り扱いは容易になったものの、電極部が単なる錐台形状であって、複雑な表面形状である顔に対し良好に当たっているとは言い難いものであった。
【０００９】
具体的に説明すると、例えば円盤状や円錐台形状の電極部の場合、顔のどの位置を施療する場合であっても円形状の上面を当接させており鼻のまわりなどの凹凸に対しては対応が難しかった。
【００１０】
そこで、例えば、図１７に示すように、電極部１０１の形状を角錐台にしたものを知られているが、電極部が肌になだらかに当接せず、感触が強く感じられる欠点があった。またコットンなどの液剤含浸材を取り付ける際に角部がほぼ直角なのでコットンがしわになりやすく電極部との接触性や見た目が良くない欠点もある。
【００１１】
本発明は、斯かる事情に鑑みてなされたものであって、顔の特に小鼻周りの施療を良好に出来る美容機器を提供することを目的とする。
【課題を解決するための手段】
【００１２】
上記従来の課題を解決するために、本発明では、美容を行うための電流を出力する電極部を表面に設け、前記電極部側から伸延する把持部を一体形成した本体ケーシングを備えた美容機器において、前記電極部は、上面と立ち上がり部を有す略錐台形状であり、上面は少なくとも把持部側に膨らんだ曲線部と把持部の長手方向に沿った直線部を有しており、曲線部と立ち上がり部は第1円弧面で結ばれ、直線部と立ち上がり部は第2円弧面で結ばれており、上記第1円弧面は第2円弧面より曲率が小さいようにした。
【発明の効果】
【００１３】
本発明によれば、小鼻付近などの平面視上は突部であって側面視上は入り組んでいるに箇所に対し、電極部の直線部を対応させると、平面視上の突部には線接触し、側面視上の入り組んだ箇所には比較的曲率の大きな角が当接するので小鼻の周りを特に良好に施療が出来、入り組んだ箇所のない鼻上部に対してはそのまま平行移動させ、側面視上なだらかな角を有す曲線部を良好に接触させることが出来る。
【図面の簡単な説明】
【００１４】
【図１】本実施形態に係る美容機器Ａの外観を示した斜視図である。
【図２】本実施形態に係る美容機器Ａの分解斜視図である。
【図３】本実施形態に係る美容機器Ａの側面図である。
【図４】本実施形態に係る美容機器Ａの背面図である。
【図５】本実施形態に係る美容機器Ａを開状態とした際の斜視図である。
【図６】本実施形態に係る美容機器Ａの電極部近傍における断面図である。
【図７】本実施形態に係る美容機器Ａの枢支部近傍における断面図である。
【図８】本実施形態に係る美容機器Ａの側面の枢支部近傍における断面図である。
【図９】本実施形態に係る美容機器Ａの側面の電極部近傍における断面図である。
【図１０】本実施形態に係る美容機器Ａの底面図である。
【図１１】回路基板の構成を示すブロック図である。
【図１２】本実施形態に係る電極部を平面および側面から見た説明図である。
【図１３】本実施形態に係る電極部と鼻の関係を平面から見た説明図である。
【図１４】本実施形態に係る電極部と鼻の関係を側面から見た説明図である。
【図１５】他の実施形態に係る電極部を平面および側面から見た説明図である。
【図１６】他の実施形態に係る電極部と鼻の関係を平面から見た説明図である。
【図１７】従来技術を示す参考図である。
【発明を実施するための形態】
【００１５】
本実施形態に係る美容機器は、美容を行うための電流を出力する電極部を表面に設け、前記電極部側から伸延する把持部を一体形成した本体ケーシングを備えた美容機器において、前記電極部は、上面と立ち上がり部を有す略錐台形状であり、上面は少なくとも把持部側に膨らんだ曲線部と把持部の長手方向に沿った直線部を有しており、曲線部と立ち上がり部は第1円弧面で結ばれ、直線部と立ち上がり部は第２円弧面で結ばれており、上記第１円弧面は第２円弧面より曲率が小さいことを特徴とするものである。
【００１６】
すなわち、本発明は、電極部の形状を平面視上と側面視上でそれぞれ特定し、顔の特に小鼻まわりに対する良好な施療ができるハンディタイプの美容機器を提供することを目的としており、これを実現した美容機器としている。特徴的には曲線部を曲率の小さな円弧面としてなだらかさを引き出し、直線部を曲率の大きな円弧面とすることでいわゆるエッジをきかせている。
【００１７】
このような美容機器は、例えば、電気的な力を利用した美容機器において適用され、例えば皮膚の老廃物等をイオンの力で導出させる、いわゆるイオンクレンジング器として使用することができる。
【００１８】
また、本実施形態に係る美容機器は、前述のイオンクレンジング器に限定されず、コットン等の液剤含浸材に含まれるイオン化成分を前記電極部からの電流（パルス電流）によって前記被施療部へ導入するいわゆるイオン導入器にも好適であることはいうまでもない。
【００１９】
また、本発明に係る美容機器をイオン導入器として使用した場合も同様であり、施療部位は特に限定されるものではなく、特に効果的には顔面の小鼻まわりを挙げることができる。
【００２０】
また、液剤含浸材は、液剤を含浸させることのできる素材であれば特に限定されるものではなく、略シート状に形成された布、コットン（脱脂綿）、スポンジ、ゲル体、不織布等のいずれであっても良い。
【００２１】
また、液剤含浸材に含浸させる液剤は、導電性を有する液剤であれば特に限定されるものではなく、水、イオン化成分溶液（電解質溶液）、化粧水、クレンジング液、またはこれらの混合溶液とすることができる。
【００２２】
併せて、液剤含浸材の形状は、例えば、矩形状、円形状、楕円形状、多角形状などあらゆる形状のものを使用することができ、サイズも適宜寸法のものを使用することができる。
【００２３】
また電極部に別の液剤含浸材を装着せず、直接電極部を被施療部に当接させるものであっても良い。  
【００２４】
本体ケーシングの表面に設けた電極部は、導電性のある金属や樹脂あるいはゴムで形成している。また、対電極部も電極部と同様に、導電性のある金属や樹脂あるいはゴムで形成しており、通電可能に構成しているが、電極部とは逆の極性となるようにしている。
【００２５】
そして、電極部を、液剤含浸材を介して皮膚（施療部位）にあてがうことにより、電極部から出力された電流は、液剤含浸材を通り、人体を介して対電極部へ流れることとなる。
【００２６】
すなわち、電極部と皮膚との間の電位勾配により、皮膚の老廃物を液剤含浸材に吸着させたり、液剤含浸材中のイオン化成分を施療部位に浸透させたりするようにしている。
【００２７】
また、この際、電極部からは、平滑電流が出力されるように構成してもよいが、パルス（パルス電流）が出力されるように構成するのが好ましい。このパルスの振幅やデューティー比などの各条件は特に限定されるものではなく、仕様や使用条件に合わせて適宜選択することができる。
【００２８】
このパルスは、電源部から供給される電流を、パルス出力部で変換することにより形成されるようにしてもよい。また、電源部は乾電池の他充電池でも良く、商用電源を直接利用するものや、別に備わる大型装置からコードなどで接続された本体ケーシングであっても電源部が内蔵されたとみなすこととする。
【００２９】
本発明の、電極部は、錐台形状であり特徴的なのは、錐台形状の上面が直線部と曲線部からなるラウンド形状である点であるが底面側は上面と同じ形状である必要はなく、底面は単なる楕円であっても良い。また、底面の面積を上面の面積より大きくした錐台以外に略同じ面積、形状の柱状のものも錐台形状に含むものとする。このような構成とすることにより、鼻付近などの平面視上は突部であって側面視上は入り組んでいるに箇所に対し、電極部の直線部を対応させると、平面視上の突部には線接触し側面視上の入り組んだ箇所には曲率の比較的大きい円弧面が所謂エッジの利いた状態で沿うように当接するので良好に施療が出来、しかも少なくとも把持部側はなだらかな円弧面を有す曲線部であるので小鼻上部に対してそのまま平行移動させるだけで良好に接触させることが出来る。したがって電極部（液剤含浸材）を顔面に当接させた際に、把持部を持ち変えたりせずにそのままの姿勢で容易に小鼻まわりと鼻上部の施療ができる。
なお、本発明での直線部は厳密な直線以外に凸または凹の曲線状であっても近似される円弧の曲率半径が十分大きければ直線部と見做す。  
【００３０】
以下、本発明に係る美容機器について、図面を参照しながら詳説する。
【００３１】
図１は、本実施形態に係る美容機器Ａの外観を示した斜視図、図２は本実施形態に係る美容機器Ａの分解斜視図、図３は本実施形態に係る美容機器Ａの側面図、図４は本実施形態に係る美容機器Ａの背面図である。
【００３２】
まず、美容機器Ａの概要を説明する。図１に示すように、本実施形態に係る美容機器Ａは、平面視略長矩形状で、側面視において僅かに円弧状に湾曲させた形状を有しており、同美容機器Ａの上部には、美容を行うための電流を出力する電極部１１を露出して形成している。
【００３３】
この電極部１１は、後に詳述するが、コットン等の液剤含浸材を載置して、美容機器Ａに挟持させることにより、使用者の施療部位に接触させて施療を行うための部位である。
【００３４】
また、図１及び図２にも示すように、美容機器Ａは、電極部１１を配設した美容機器本体１０と、電極部１１を露出させる略楕円形状の開口部１２を有し、側面視において美容機器本体１０に沿わせて円弧状に湾曲させたカバー体１３とを備えており、美容機器本体１０とカバー体１３とを重合させ、両者の下端部を組み合わせて形成した枢支部２２で左右幅方向のやや中央寄りで枢支して美容機器Ａを構成している。
【００３５】
また、この美容機器Ａは、美容機器本体１０に把持部１７を形成する一方、カバー体１３に把持領域形成部３４を形成し、使用者は把持部１７とカバー体１３とを同時に把持して美容機器Ａを使用するようにしている。
【００３６】
すなわち、本実施形態に係る美容機器Ａは、枢支部２２を中心に美容機器本体１０に対してカバー体１３を回動して離隔させ、予め液剤を含浸させた液剤含浸材を電極部１１に配置し、カバー体１３を回動して美容機器本体１０に重合させた後、使用者は、把持部１７と把持領域形成部３４とを併せて把持して施療部位に液剤含浸材（電極部１１）を当接させて施療を行うものである。
【００３７】
ところで、ここで示す美容機器Ａは、図３にも示すように、本体形状を電極部１１側に突出するよう弓なりに湾曲させて形成しているが、これにより、電極部１１（液剤含浸材）を施療部位に接触させた際に、美容機器Ａを把持する手が、施療部位近傍の皮膚に当接して邪魔になることがない。
【００３８】
すなわち、施療の際に美容機器Ａを把持する手を、肌の表面からできるだけ離隔させるようにしている。また、電極部１１（液剤含浸材）を顔面に接触させた場合、使用者の手首に負担をかけず、手首をできるだけ自然な角度としながら美容機器Ａを把持することができるという長所がある。
【００３９】
次に、美容機器Ａを構成する美容機器本体１０とカバー体１３との構成について、個々に説明する。
【００４０】
美容機器本体１０は、図２に示すように、外観を形成する本体ケーシング１４により構成されている。また、この本体ケーシング１４には、表面１５に美容を行うための電流を出力する電極部１１が備えられている。
【００４１】
電極部１１は、美容機器本体１０の本体上端部１８近傍に配設されており、ゴムなどの導電性素材にて錐台形状に形成している。
【００４２】
また、本体ケーシング１４は、電極部１１側から本体下端部１９へ向けて伸延する把持部１７を一体形成して構成しており、同把持部１７の長手方向の長さは、大人の掌の幅と略同等としている。
【００４３】
本体ケーシング１４の本体下端部１９の端部の幅方向やや中央よりには、凹部２０,２０を形成しており、この凹部２０,２０には、カバー体１３に設けられた枢支孔２１,２１と遊嵌して枢支部２２（後述）を形成する枢支軸２３,２３が突設されている。
【００４４】
また、本体ケーシング１４の裏面には、図４に示すように、美容機器Ａを操作するための操作部２５とが配設されている。
本体ケーシング１４の側壁面部４９には図３に示すように使用者の身体を介して電極部１１と導通する対電極部２６が配設されている。
【００４５】
電源部１６は、本体ケーシング１４の内部に充電池（図示せず）として設けられており、図１０に示す充電用接続口６０を介して充電可能となっている。この電源部１６は、本体ケーシング１４の内部に配設した回路基板に電源を供給するものである。
【００４６】
操作部２５は、本体ケーシング１４の裏面の本体上端部１８側に配設されており、同操作部２５は、美容機器Ａの電源のＯＮ／ＯＦＦを表示する電源ランプ３０と、美容機器Ａの電源のＯＮ／ＯＦＦを切り替える電源スイッチ３１と、電極部１１と対電極部２６との間で導通する電流の大小を切り替える強弱切替スイッチ３２とを備えている。
【００４７】
これらの電源ランプ３０や各スイッチ３１,３２もまた、電源部１６と同様に、本体ケーシング１４に内蔵した回路基板に接続されており、各スイッチ３１,３２,３３から回路基板２９へ各種信号を送信することにより、美容機器Ａを制御可能としている。なお、この回路基板２９については、後に図１１を用いて説明する。
【００４８】
対電極部２６は、本体ケーシング１４の裏面２４から、同本体ケーシング１４の側壁面部４９に沿って左右２つ配設されており、使用者が把持部１７と把持領域形成部３４とを共に把持することで、対電極部２６に手指が接触するようにしている。
【００４９】
また、美容機器本体１０（本体ケーシング１４）の側壁面部に着眼すると、美容機器本体１０の左右幅方向をやや狭めて本体肩部３５が形成されており、この本体肩部３５を境に、下方を把持部１７とし、上方を幅狭部３６としている。
【００５０】
また、この幅狭部３６の平面視における形状は、カバー体１３の平面視における上部の形状よりも一回り（液剤含浸材の厚み程度）小さな略相似形状としている。
【００５１】
この幅狭部３６の側壁面部４９は、後述するカバー体１３の鍔部４２との間に隙間（導出空間Ｖ）を形成して、液剤含浸材が美容機器Ａの背面側に突出するよう設けられたものである。鍔部４２は図３、図１０からも明らかなように側壁面部４９の対電極部２６の配設された位置を避けて形成されており、本体ケーシング１４とカバー体１３を同時に把持した際にカバー体１３の鍔部４２が手指と対電極部２６の接触を邪魔しないようになっている。
【００５２】
なお、図１０に示す６０は充電用の商用電源との接続口である。
【００５３】
次に、美容機器本体１０と対をなすカバー体１３について説明すると、同カバー体１３は、その上端部４０を略半円弧状に形成したカバープレート４１と、このカバープレート４１の外縁を内側に折曲して形成した鍔部４２とで構成している。
【００５４】
また、図３にも示すように、カバー体１３の長手方向の長さは、前述の本体ケーシング１４の長手方向の長さと略同長さとしており、電極部１１が開口部１２をくぐり始める際の、本体ケーシング１４に対するカバー体１３の角度θをできるだけ小さくすることができ、本体ケーシング１４に対してカバー体１３を略水平方向に押し付けた状態に可及的に近づけるようにしている。
【００５５】
さらには本実施例では、電極部１１を被施療部に当接させやすくするために美容機器本体１０及びカバー体１３を湾曲させて、電極部１１の突出方向を外側に向けている。
【００５６】
よって、この実施例では開口部１２の枢支部２２を中心とした回動軌跡と電極部１１の突出方向が一致しないが、電極部１１の形状を錐台形状とし開口部１２へのスムーズな挿入を促進させている。
【００５７】
また、図２に示すように、カバープレート４１には、電極部１１を露出させるために、平面視において長手方向に長軸を向けた略楕円形状もしくは直線部と曲線部からなるラウンド形状の開口部１２が上端部４０の近傍に穿設されており、この開口部１２は、美容機器本体１０に配設した電極部１１に対応する位置としている。
【００５８】
すなわち、美容機器本体１０とカバー体１３とを重合状態とした際に、電極部１１は開口部１２から突出するように形成している。
【００５９】
なお、開口部１２の楕円形状は、電極部１１から枢支部２２までの長さや、電極部１１の大きさによって適宜設定することができる。
【００６０】
本実施例においては、電極部の上面を直線部と曲線部からなるラウンド形状とし、開口部１２は電極部上面と略同形状もしくは楕円形状としている。開口部１２の縁には突起６１が形成され、この実施例においては図６に示すように鍔部４２と同じ方向に鍔部４２より少ない突出量となっている。突起６１の形状は連続的、断続的もしくは波状などが考えられる。
【００６１】
また、カバー体下端部４３近傍の鍔部４２には、美容機器本体１０の凹部２０,２０内に突設した枢支軸２３,２３を遊嵌するための枢支孔２１,２１を穿設しており、同枢支軸２３,２３を枢支孔２１,２１に挿入することで、枢支部２２を形成するようにしている。
【００６２】
本実施形態に係る美容機器Ａは、上述してきた構成を有する美容機器本体１０にカバー体１３を枢支して形成しているのである。
【００６３】
すなわち、美容機器本体１０とカバー体１３とは、両者の下端部にて枢支部２２を介して連結されており、カバー体１３は美容機器本体１０に対して、左右方向（美容機器Ａの幅方向）へ向けた軸線の円弧方向へ向けて所定の範囲で回動自在（開閉自在）に形成している。なお、以下の説明において、美容機器本体１０に対してカバー体１３が枢支部２２を軸として回動し、美容機器本体１０とカバー体１３とが重合した状態を閉状態といい、美容機器本体１０とカバー体１３とが離隔した状態を開状態という。
【００６４】
そして、把持領域形成部３４においてカバー体１３と把持部１３とを使用者が把持することにより、美容機器本体１０に対してカバー体１３が閉状態となるようにしている。すなわち、本実施形態に係る美容機器Ａは、電極部１１に液剤含浸材を載置し、使用者が把持領域形成部３４を把持することにより、枢支部２２を軸として美容機器本体１０とカバー体１３とが閉状態となり、トング状（ピンセット状）に液剤含浸材を挟持するよう構成している。カバー体の形状は把持領域形成部３４において側壁面部４９の対電極部２６を覆わない形状であれば良く、本実施例より巾が狭いもの、棒状のものなどが考えられる。棒状の場合、枢支部は１ヶ所となっても良い。
【００６５】
次に本発明の特徴とする電極部につき詳細に説明する。
図１２は、電極部１１の平面視、側面視を表す図であり電極部１１の上面７４は直線部７６と曲線部７５からなり所謂陸上トラック形状となっている。直線部７６は把持部１７の長手方向に沿って２０ｍｍの間隔Ｄで平行して設けられ本実施例では直線部の長さＳは約５ｍｍとしている。
【００６６】
曲線部７５は上記直線部７６間を連結しており、把持部１７の長手方向に沿って膨らんで形成されている。
電極部１１は側面視が台形状で下面７７と上面７４を結ぶ立ち上がり部７３は上面７４側において円弧面にて結ばれている。円弧面の曲率は曲線部７５では小さく直線部７６では大きく設定されており具体的には曲線部７５の第１円弧面７１の曲率半径は３ｍｍであり、直線部７６の第２円弧面７２の曲率半径は１ｍｍである。なお、各円弧面７１，７２の円弧角は本実施例では同じ１１０度である。
【００６７】
この実施例では上面７４の寸法は長手方向と幅方向で略同じ程度であるが、上面７４と各円弧面７１，７２で形成される主施療面７８は平面視で長手方向の寸法Ｌが２５ｍｍ、幅方向の寸法Ｗが２３ｍｍとなり、把持部１７の長手方向側の方が長い。
【００６８】
なお、上面７４の直線部７６はこの実施例より長く例えば１０ｍｍ程度あっても良く、主施療面７８の平面視はこの実施例以上に長手方向が長くても良い。又直線部７６はほぼ直線の円弧もしくは曲線を含み、本実施例程度の大きさであれば近似する円弧の曲率半径が２５ｍｍ以上であれば直線と見做す。
【００６９】
また、この発明は電極部１１の上面７４に直線部７６を有していれば良く、上面７４あるいは施療面７８の平面視において把持部１７の長手方向側のほうが幅より短い実施例も考えられる。
【００７０】
実際に美容機器Ａを使用する手順を追って、美容機器Ａ特徴的な構成について更に説明すると、まず、図５に示すように美容機器Ａを使用するにあたり、開状態とした美容機器Ａの電極部１１に、液剤を予め含浸させた液剤含浸材を配置する。なお、図５は、本実施形態に係る美容機器Ａを開状態とした際の斜視図である。
【００７１】
次いで、カバー体１３を美容機器本体１０へ徐々に接近させると、カバー体１３は、液剤含浸材４４に接触することとなる。
【００７２】
さらに、使用者は、把持領域形成部３４において把持部１７とカバー体１３を共に把持することにより、液剤含浸材４４が電極部１１に押しつけられると同時に、液剤含浸材４４が電極部１１を被覆した状態で圧着固定されながら開口部１２より露出することとなる。
【００７３】
開口部１２より露出した液剤含浸材４４の形状は電極部１１と略相似形になるので以下液剤含浸材４４が被服された状態も含み電極部１１と表現する。
【００７４】
使用者は美容機器の把持部１７を手で持ち電極部１１側を顔面に向けて電極部１１の上面７４で肌をなぞるように滑らせる。本発明に係る電極部１１は図１２で良くわかるように、下面７７と上面７４が直線部７６と曲線部７５からなる陸上トラックのような形状をした高さ１５ｍｍの錐台形であり、立ち上がり部７３と上面７４を結ぶ円弧面７１，７２が直線部７６では曲率が大きく曲線部７５では曲率を小さく設定している。具体的には直線部７６の第２円弧面７２が曲率半径１ｍｍ、曲線部７５の第１円弧面７１が曲率半径３ｍｍであり、直線部７６の長さが５ｍｍであって２つの直線部７６，７６は平行であり、その間の距離Ｄは２０ｍｍである。
【００７５】
この種の美容機器で最も施療が必要でありながら当接させにくいのが小鼻周りであるが、この実施例によれば図１３で示したＢ−Ｂ’，Ｃ−Ｃ’を断面として示した図１４の側面視でわかるように小鼻の奥まった箇所９１に対し、曲率の大きな第２円弧面７２を有す直線部７６が沿い、直線であることと曲率が大きいことが相まって、所謂エッジの利いた状態で沿わせることが出来、十分な当接力を発揮出来る。また図１３で示す平面視でわかるように小鼻の凸部９０に対し直線部７６が当接するので接触領域が広く沿わせやすい効果がある。また、図１３、図１４に示すように鼻上部に対してはそのままの把持姿勢で平行移動させれば把持部１７側の曲線部が曲率の小さな円弧面であることと相まってなだらかな面を形成し鼻Ｎの隆起に対応し非常に使い勝手が良い。
【００７６】
上述してきたように、本実施形態に係る美容機器Ａによれば、使用者が液剤含浸材（電極部１１）を施療部位に当接させることで、電極部１１と対電極部２６との間で、液剤含浸材と人体とを介して導通し、皮膚の老廃物を除去したり、皮膚にイオン化成分を浸透させることができる。
【００７７】
図７、図８を用いて枢支部２２の構造をより具体的に説明する。枢支部２２は本体ケーシング１４に設けられた凹部２０に枢支孔２１と枢支軸２３が係合することにより構成され、枢支軸２３が本体ケーシング１４に対し軸方向に撓みやすいように延出されている。枢支軸２３が撓むことにより枢支孔２１との係合は比較的容易に離脱出来るようにしている。また、枢支軸２３は凹部２０内に設けられているので直接手指などが触れることがなく、本実施例のような単純な構造でばね性のある枢支軸２３を形成しても強度的に問題ない。又この凹部２０は本体ケーシング１４の内部とは完全に遮断されており、枢支軸２３を介して化粧材等が浸入することを防止出来る。すなわち、この凹部２０が化粧浸入防止溜まり部として機能している。図７にて良くわかる様に、カバー体１３の鍔部４２は把持領域形成部３４においては、対電極部２６を覆わない様に設定され把持しやすい様に傾斜した形状としている。したがって、カバー体１３の開閉時の指のはさみを防止し、対電極部２６の指との接触をより確実にし、さらには本体ケーシング１４の外観に沿う様にカバー体１３が形成されることで、カバー体１３の横ずれも防止出来る。   
【００７８】
図８はカバー体１３と本体ケーシング１４の開閉ロック機構４６を示しており、カバー体１３の枢支孔２１周辺に設けられたロック凹部４７と本体ケーシング１４の凹部２０内に形成されたロック片４８が係合するようになっている。
ロック凹部４７は周上に２箇所設けられカバー体１３がほぼ開いた状態（液剤含浸材を電極部に載置する状態）とほぼ閉じた状態（液剤含浸材を挟んだ状態）でロック出来るようにしている。
【００７９】
また、このように電極部１１から最も離れた枢支部２２にロック機構４６を設ければ、液剤含浸材を挟まずに閉じた状態と厚い液剤含浸材を挟んだ状態のいずれでも状態の違いをカバー体１３が撓むことで吸収出来、ロック状態を維持できる。
【００８０】
次に美容機器本体１０の先端側に設けられた電極部１１の内部構成につき説明する。図９は電極部１１の内部を示す断面図であるが、電極部１１内には、導電性のあるゴム材からなる電極材５４と電極材５４の中央部分に凹入形成された空間Ｓに振動部５６が配設されている。振動部５６はモータ５２、モータ５２の先端側に設けられた偏心部５３及びモータケーシング５７からなり、モータケーシング５７と電極材５４は電極材にインサート成形された導電性ねじ受部５５に本体ケーシング１４とともにねじ止めされることで固定される。
【００８１】
ねじ５８は導電性を有しており、よって美容機器本体１０内部の回路基板と電極部１１は電気的に接続されている。
振動部５６は、ねじ５８により複数個所ねじ止めされ、モータ５２と回路基板も接続される。振動部５６の振動はロック機構のロック力に悪影響を与えるが、上述のように振動部５６から最も離れた枢支部２２内にロック機構４６を配し、又使用中は把持されるので中途で振動が人体に吸収されロック機構４６に対する振動の影響を最小限とすることが出来る。
【００８２】
すなわち、本実施例に係る美容機器は、本体ケーシングに重合された状態でカバー体１３を把持するにあたり、その把持領域形成部３４の上部に電極部１１、下部にロック機構４６が配された構成なので、施療中の肌との接触により電極部が受ける外力を、把持により人体に吸収させることでその影響をロック機構４６に伝達させないという特徴があるが、電極部１１に振動部５６を設けた場合、その振動についてもロック機構４６に影響を与えず、使用中のロック効果が特に優れたものとなる。
【００８３】
次に、図１１を用いて美容機器本体１０の内部に収容した、美容機器Ａを制御するための回路基板について説明する。図１１は、回路基板の構成を示すブロック図である。
【００８４】
図１１に示すように、回路基板は、電源を供給するための電源部１６と、同電源部１６に接続され、美容機器Ａの制御を行う制御部３８とを備えている。本実施例において電源部１６は図１０に示した商用電源との接続口６０から充電させる充電池としている。
【００８５】
また、制御部３８には、美容機器Ａの電源のＯＮ／ＯＦＦを行うための電源スイッチ３１と、電極部１１と対電極部２６との極性を反転させるための極性反転スイッチ３３と、電極部１１より出力する電流の大小を調節する強弱切替スイッチ３２と、美容機器Ａの駆動状態を示す電源ランプ３０と振動部５６の作動の為の振動スイッチ５９を接続している。
【００８６】
さらに、制御部３８には、電極部１１にパルスを出力するパルス出力部３９とモータ駆動部２９を接続しており、制御部３８からの信号に応じて、電源部１６より供給される電流をパルスに変換して出力したり、モータを駆動し振動を発生させたりしている。
【００８７】
このパルス出力部３９には、被施療部に液剤含浸材を介して接触させ、当該被施療部に電流を出力する電極部１１と、前記電極部１１と使用者の人体を介して導通する対電極部２６とが接続されている。
【００８８】
そして、このような構成の回路基板を有する美容機器Ａによれば、以下の様な動作を行うこととなる。
【００８９】
まず、電源スイッチ３１をＯＮ動作すると、電源部１６より制御部３８に電流が供給され、電源ランプ３０が点灯し、制御部３８はパルス出力部３９にパルス出力を指示する信号を送信する。
【００９０】
パルス出力部３９は、制御部３８からのパルス出力を指示する信号を受信すると、制御部３８を介して電源部１６からの電流を受けてパルスに変換し、電極部１１に出力する。
【００９１】
パルスは、電極部１１から液剤含浸材を介して人体を通り、電極部１１と反対の極性を有する対電極部２６に導通することとなる。
【００９２】
この際、電極部１１の表面に配設した液剤含浸材には、電極部１１と反対の極性を帯びた老廃物が、施療部位から吸引されて捕捉されることとなる。
【００９３】
また、ここで、極性反転スイッチ３３をＯＮ動作すると、制御部３８は、パルス出力部３９に、電極部１１と対電極部２６との極性を入れ替える信号を送出する。
【００９４】
これにより、例えば液剤含浸材にイオン化成分が含浸されている場合には、電極部１１の極性と反対の極性を有するイオン化成分が人体側へ向かって流れ、液剤含浸材（電極部１１）と当接する被施療部にイオン化成分を浸透させることができる。
【００９５】
また、強弱切替スイッチ３２をＯＮ動作すると、制御部３８は、電源部１６からパルス出力部３９へ送給する電流の大小を切り替え、電極部１１から出力されるパルスの振幅が変更されることとなる。
【００９６】
これにより、液剤含浸材に老廃物を吸着させる際の吸着力を加減したり、液剤含浸材に含まれるイオン化成分を電極部１１から被施療部へ向けて供給する際の供給量を増減させることができる。また、振動スイッチ５９をＯＮ動作すると上記モータ駆動部２９が駆動し、電極部１１に振動を与える。
【００９７】
このようにして施療を行った後、使用者は、電源スイッチ３１をＯＦＦ動作することにより、電源部１６から供給される電流を遮断し、施療部位の老廃物の吸着や、液剤含浸材から施療部位へ供給されるイオン化成分の流れを止めることができる。
【００９８】
次に、本発明に係る美容機器の電極部の他の実施形態につき図１５、図１６を用いて説明する。
図１５は、上面８４の把持部１７側のみが曲線部８５を有す電極部８１を示した図であって、上面８４の両側部に第１の直線部８６が、先端側に第２の直線部８９が形成され、前方後円形状となっている。
【００９９】
立ち上がり部８３と上面８４を結ぶ円弧面は上述のような第１円弧面７１と第２円弧面７２以外に先端側の直線部８９における第３円弧面８８が形成され、第３円弧面８８の曲率もまた第１円弧面７１と同様に第２円弧面７２の曲率より小さくなっているが第１円弧面７１よりは曲率が大きい。
【０１００】
この実施例によれば上述の実施例と同様に小鼻の奥まった箇所に対し、曲率の大きな第２円弧面を有す直線部７６が沿い、所謂エッジの利いた状態となり、十分な当接力を発揮出来る。また、鼻上部に対してはそのままの把持姿勢で平行移動させれば把持部側の曲線部７５が第１円弧面７１と相まってなだらかに対応することになり非常に使い勝手が良い。しかも本実施例の場合、鼻の下に対してもそのままの平面視における平行移動により先端側の直線部８９をやや斜めにするだけで対応させることが出来、鼻のまわりに対し把持姿勢を変えることなく良好に施療出来る。
【０１０１】
上述してきたように、本発明によれば、美容を行うための電流を出力する電極部１１を表面に設け、前記電極部１１側から伸延する把持部１７を一体形成した本体ケーシング１４を備えた美容機器Ａにおいて、前記電極部１１は、上面７４と立ち上がり部７３を有す略錐台形状であり、上面７４は少なくとも把持部１７側に膨らんだ曲線部７５と把持部１７の長手方向に沿った直線部７６を有しており、曲線部７５と立ち上がり部７３は第１円弧面７１で結ばれ、直線部７６と立ち上がり部７３は第２円弧面７２で結ばれており、上記第１円弧面７１は第２円弧面７２より曲率が小さいこととしたので、小鼻付近などの平面視上は凸部であって側面視上は入り組んでいるに箇所に対し、電極部１１の直線部７６を対応させると、平面視上で見れば凸部９０に線接触となり、側面視上で見れば入り組んだ箇所９１に比較的曲率の大きな角が当接した状態となるので小鼻の周りを特に良好に施療が出来、凹凸のすくない鼻上部に対してはそのまま平行移動させ、なだらかな表面形状の曲線部７５を良好に接触させることが出来る。
【０１０２】
最後に、上述した各実施の形態の説明は本発明の一例であり、本発明は上述の実施の形態に限定されることはない。このため、上述した各実施の形態以外であっても、本発明に係る技術的思想を逸脱しない範囲であれば、設計等に応じて種々の変更が可能であることは勿論である。
【符号の説明】
【０１０３】
１０  美容機器本体
１１  電極部
１２  開口部
１３  カバー体
１４  本体ケーシング
１５  表面
１６  電源部
１７  把持部
２２  枢支部
２４  裏面
２６  対電極部
３４  把持領域形成部
４１  カバープレート
４２  鍔部
４４  液剤含浸材
Ａ  美容機器
Ｖ  導出空間
【図１】
0005426985.tif 000002
【図２】
0005426985.tif 000003
【図３】
0005426985.tif 000004
【図４】
0005426985.tif 000005
【図５】
0005426985.tif 000006
【図６】
0005426985.tif 000007
【図７】
0005426985.tif 000008
【図８】
0005426985.tif 000009
【図９】
0005426985.tif 000010
【図１０】
0005426985.tif 000011
【図１１】
0005426985.tif 000012
【図１２】
0005426985.tif 000013
【図１３】
0005426985.tif 000014
【図１４】
0005426985.tif 000015
【図１５】
0005426985.tif 000016
【図１６】
0005426985.tif 000017
【図１７】
0005426985.tif 000018